(57)【特許請求の範囲】
【請求項１】
天板と、少なくとも該天板を支持する支持脚と、該支持脚の下部に上下動可能に略水平に配設されたキャスタフレームと、キャスタフレームの少なくとも前後に設けられたキャスタと、前記支持脚に設けられ、前記キャスタフレームが上方に位置された際に前記キャスタに代わって床面に接して当該移動机を支持する接触部と、を備えた移動机において、
前記天板が左右方向を軸として回動可能にされたものであり、
前記天板の下方に配置され、該天板の左右方向と略同じ長さであって且つ該天板の回動・非回動に関わらず該左右方向を軸として回動可能にされた長尺部材と、
前記長尺部材の回動に連動して該回動の軸と平行な軸の回動りに揺動される腕部と、
該腕部の端部に軸支され、前記支持脚に沿って略垂直に配置される棒状部材であって、他端は、前記キャスタフレームに軸支されたロッドと、
を備え、前記長尺部材を回動させると、少なくとも前記腕部、前記ロッド、前記キャスタフレームが連動して、前記キャスタを前記接触部よりも上方の位置と前記接触部よりも下方の位置との間で移動させ、
且つ前記長尺部材は棚であり、
該棚を略水平にすると、少なくとも前記腕部、前記ロッド、前記キャスタフレームが連動して、前記キャスタを前記接触部よりも上方に移動させ、前記回動により前記棚を略垂直にすると、少なくとも前記腕部、前記ロッド、前記キャスタフレームが連動して、前記キャスタを前記接触部よりも下方に突出させ、
しかも、前記天板と前記長尺部材とがリンクにて結合されて平行リンク機構をなすことにより該天板の前記回動に連動して該長尺部材が回動し、前記キャスタフレームを上下動されること、及び該天板を回動させることなく該長尺部材を回動させることにより前記キャスタフレームを上下動されることが可能にされていることを特徴とする移動机。
【請求項２】
請求項１に記載の移動机において、
前記長尺部材が、
当該長尺部材の左右側面をなし、前記リンクにて前記天板と結合され、当該長尺部材の前記回動軸を軸として回動可能にされた外側面ガイドと、
該外側面ガイドの各内側に位置して第２の側面をなし、互いに左右方向に結合され、前記外側面ガイドと同軸に且つ独立して回動可能にされた内側面ガイドと、
該内側面ガイドおよび前記外側面ガイドを互いにロック解除可能に固定するロック機構と、
を備えたものであり、前記腕部は前記内側面ガイドの回動に連動して回動されることを特徴とする移動机。
【請求項３】
請求項２に記載の移動机において、
左右両側の前記内側面ガイドが、該左右方向に平行に複数配置された複数のパイプにて結合されたものであり、
該パイプの内の１本を該パイプの中心軸周りに回転させることにより、前記ロック機構が解除される
ことを特徴とする移動机。
【発明の詳細な説明】
【０００１】
【発明の属する技術分野】
本発明は、必要時にキャスタを下方に突出させ、容易に移動することができる移動机に関する。
【０００２】
【従来の技術】
机の脚部にキャスタを取り付け、容易に移動可能とした移動机がある。こうした移動机（以下、単に机ともいう）においては、移動時には楽に移動ができると共に、使用時には簡単に移動できないようにされていることが、重要である。この２つの課題を両立させた机として、特開平８−１０３３３３号公報には、キャスタを脚部に対して上下動可能に構成し、キャスタが上方に位置された際には、アジャスタという接地部材にて机を床面に対して容易に移動できないように構成した机が開示されている。この机においてキャスタの上下動は、天板の下方に設けられたレバーにより行なわれる。なお、この机は天板が左右方向を軸として回動可能に構成されており、天板を略垂直に起こすことによっても、キャスタが下降する。前記レバーを操作すれば、天板を起こすことなく、キャスタを下降させることが可能であるので、天板の上に物が置かれた状態であっても、机の位置調整を容易に行なうことができる。
【０００３】
【発明が解決しようとする課題】
しかしながら、レバーは天板の略中央下方に設けられているため、天板を起こすことなく机の位置調整をするには、レバーの位置を確認してから行なうか或は手探りでレバーを探す必要があり煩わしい。また、机の左右端を持って机の位置調整を行なう場合には非常に不便である。天板の左右下方にレバーを各一体備え、これを操作することによりキャスタが上下する机も提案されているが、こうすると必ず左右両側に手を回してレバーを操作しなければならないため操作し辛い。
【０００４】
本発明はかかる課題に鑑みなされたもので、天板を水平にしたままで容易にキャスタの上げ下げができる移動机を提供することを目的とする。
【０００５】
【課題を解決するための手段および発明の効果】
かかる課題を解決するためになされた請求項１に記載の本発明は、天板と、少なくとも該天板を支持する支持脚と、該支持脚の下部に上下動可能に略水平に配設されたキャスタフレームと、キャスタフレームの少なくとも前後に設けられたキャスタと、前記支持脚に設けられ、前記キャスタフレームが上方に位置された際に前記キャスタに代わって床面に接して当該移動机を支持する接触部と、を備えた移動机において、
前記天板が左右方向を軸として回動可能にされたものであり、前記天板の下方に配置され、該天板の左右方向と略同じ長さであって且つ該天板の回動・非回動に関わらず該左右方向を軸として回動可能にされた長尺部材と、前記長尺部材の回動に連動して該回動の軸と平行な軸の回動りに揺動される腕部と、該腕部の端部に軸支され、前記支持脚に沿って略垂直に配置される棒状部材であって、他端は、前記キャスタフレームに軸支されたロッドとを備え、前記長尺部材を回動させると、少なくとも前記腕部、前記ロッド、前記キャスタフレームが連動して、前記キャスタを前記接触部よりも上方の位置と前記接触部よりも下方の位置との間で移動させ、
且つ前記長尺部材は棚であり、
該棚を略水平にすると、少なくとも前記腕部、前記ロッド、前記キャスタフレームが連動して、前記キャスタを前記接触部よりも上方に移動させ、前記回動により前記棚を略垂直にすると、少なくとも前記腕部、前記ロッド、前記キャスタフレームが連動して、前記キャスタを前記接触部よりも下方に突出させ、
しかも、前記天板と前記長尺部材とがリンクにて結合されて平行リンク機構をなすことにより該天板の前記回動に連動して該長尺部材が回動し、前記キャスタフレームを上下動されること、及び該天板を回動させることなく該長尺部材を回動させることにより前記キャスタフレームを上下動されることが可能にされていることを特徴とする。
【０００６】
このように構成された移動机によれば、長尺部材を回動させれば、キャスタが接触部よりも上下に移動するので、天板を水平にしたままで机の位置調整を容易に行なうことができる。しかも回動させるのが長尺部材であるので、調整者が机の側方にいても、中央にいても容易に操作を行なうことができる。
【０００８】
また、キャスタを上下動させる長尺部材として棚を流用しているので、新たに長尺部材を設ける必要がない。
【０００９】
また、天板に物が置かれていないときには天板を回動させればキャスタを上下させることができるので、机を倉庫などに収納する時には非常に便利である。具体的には次のように構成すれば良い。
すなわち、請求項２に記載の本発明は、請求項１に記載の移動机において、前記長尺部材が、当該長尺部材の左右側面をなし、前記リンクにて前記天板と結合され、当該長尺部材の前記回動軸を軸として回動可能にされた外側面ガイドと、該外側面ガイドの各内側に位置して第２の側面をなし、互いに左右方向に結合され、前記外側面ガイドと同軸に且つ独立して回動可能にされた内側面ガイドと、該内側面ガイドおよび前記外側面ガイドを互いにロック解除可能に固定するロック機構とを備えたものであり、前記腕部は前記内側面ガイドの回動に連動して回動されることを特徴とする。
【００１０】
つまり、このように構成された移動机においては、ロック機構を作動させて内側面ガイドと外側面ガイドとを互いに固定すれば、内側面ガイド（ひいては長尺部材）が外側面ガイドを介して天板と平行リンク機構をなすので、天板を回動させると長尺部材も回動し、キャスタを上下させることができる。一方、ロック機構のロックを解除すれば、外側面ガイドを残して内側ガイドのみを回動させることが可能となるので、天板を水平にしたままキャスタを上下させることもできる。
【００１１】
請求項３に記載の本発明は、請求項２に記載の移動机において、左右両側の前記内側面ガイドが、該左右方向に平行に複数配置された複数のパイプにて結合されたものであり、該パイプの内の１本を該パイプの中心軸周りに回転させることにより、前記ロック機構が解除されることを特徴とする。
【００１２】
このように構成された移動机によれば、左右の内側ガイドを互いに結合しているパイプの１本を回転させるだけでロックの解除を行なうことができるため、操作が簡単であり、ロックを解除するためのレバーなどが不要であるため、外観上も優れた机となる。
【００１３】
【発明の実施の形態】
以下に本発明の実施形態を図面と共に説明する。
［第１実施形態］
図１（ａ）に本発明の第１実施形態の移動机の側面図を示す。この机の天板１は、点Ｐを軸として回動可能にされており、天板１の下方に配置された棚２４は棚パイプ２ａを軸として回動可能にされている。棚２４はその側面をなす棚ガイド３ａの点Ｑと天板１の点Ｒとがガイドリンク４で結合されることにより平行リンク機構をなしている。なお符号６は天板１を水平姿勢から回動可能にする際に操作されるレバーである。図１（ａ）の状態では、フック（図示しない）が天板１のピン（図４参照）に係合しており、天板１が回動するのを規制する。レバー６を時計回りに回動するとフックが外れ、天板５が回動可能となる。なお、レバー６は移動机の右側にも設けられており、図示したレバー６と連動パイプ５で接続されている。
【００１４】
棚パイプ２ａにはカム９（本発明の腕部に相当）が固定されており、棚２４が回動されるとカム９も同様に回動される。カム９の先端にはロッド８の上端が軸支されており、棚２４が水平姿勢から押し下げられると、ロッド８も下降される。なお、ロッド８は支柱パイプ７内を通っているため通常は見ることができない。
【００１５】
ロッド８の下端は浮動足１１に固定されており、ロッド８が下降されると浮動足１１も下降する。浮動足１１は、その前後を２点Ｓにて２個のフロートリンク１２に夫々軸支されており、更にこの各フロートリンク１２は、２点Ｔにて固定足１０の前後に夫々軸支されている。これにより固定足１０と浮動足１１も平行リンク機構をなしている。浮動足１１の下部には、前後に各１個のキャスタ１４が設けられている。なお符号１３はアジャスタであり、本発明の接触部に相当する。符号１８は左右の支柱パイプ７を結合する貫パイプ、符号２１はキャッチャである。
【００１６】
棚２４の端部をなすラッチカバー１７の中には図１（ｂ）に示すように、ラッチ１５、ラッチ取付金具２０、ラッチ１５をラッチ取付金具２０に対して付勢するバネ１９が内蔵されている。符号２ｂは棚パイプ２ａと平行な棚パイプ、符号１６は棚パイプ２ｂに取り付けられたアーム１６である。なお実際にはラッチカバー１７は不透明の部材で構成されているが、ラッチ１５等のラッチカバー１７内の構成を示すためにラッチカバー１７を透視して示している（図１（ａ）および以降の図面についても一部を除き同様）。また、図１（ｂ）では棚ガイド３ａを一部破断させている。
【００１７】
図２にラッチ１５の動作を示す。棚パイプ２ｂを矢印Ａ（図２（ａ）参照）方向に回動させると、アーム１６が同方向に回転する。アーム１６にはピン１６ａが設けられており、これがラッチ取付金具２０に形成された略長方形の穴２０ａ、ラッチ１５に形成された略５角形の穴１５ａに遊挿されている。アーム１６が矢印Ａ方向に回動されると、ピン１６ａが穴１５ａの斜面を下方に押し、これによりラッチ１５が矢印Ｂ方向（図２（ｃ）参照）に移動する。なお、この移動はバネ１９の付勢力に抗して行なわれるもので、棚パイプ２ｂから手を離すとラッチ１５が矢印Ｂと逆方向に移動し、棚パイプ２ｂとアーム１６が矢印Ａと逆方向に回転する。
【００１８】
棚パイプ２ｂを矢印Ａ方向に回動させていない状態（図２（ａ）、図２（ｂ））では、ラッチ１５の本図において左端に形成された溝１５ｂが棚ガイド３ａの縁に係止しており、棚２４と棚ガイド３ａとが一体となって回動する。棚パイプ２ｂを回転させた状態（図２（ｃ））では、ラッチ１５の溝１５ｂが棚ガイド３ａから離脱し、棚ガイド３ａを残して棚２４のみを回動させることが可能となる。後者の状態で棚２４を回動させた様子を図３に示す。本図に示すように、この状態では天板１が水平のままで、キャスタ１４が接地している。これは、棚パイプ２ｂを回動させることにより、ラッチ１５の溝１５ｂと棚ガイド３ａの係止を解き、棚２４のみを、略垂直となるまで押し下げることにより実現される。
【００１９】
なお、図３（ｂ）は天板１を水平にしたまま棚２４を押し下げた際の貫パイプ１８の周辺を拡大した図である。本図に示すように、押し下げられた棚２４のラッチ１５の溝１５ｂは、キャッチャ２１に係止することにより、固定された状態となる。この係止を解くには棚パイプ２ｂを矢印Ａ（図２（ａ）参照）に回動させれば良い。
【００２０】
図１（ａ）の状態から、棚パイプ２ｂを回動させることなく天板１を時計回りに回動させる途中の様子を図４に示す。本図に示すようにこの状態ではラッチ１５の溝１５ｂが棚ガイド３ａに係止しているため、天板１に押された棚ガイド３ａが回動することにより、棚２４も同方向に回動する。これによりキャスタ１４が接地する。
【００２１】
更に天板１を同方向に回動させた様子を図５に示す。本図の状態では、天板１が垂直となり、収納に適した状態となる。図５（ｂ）は図５（ａ）の貫パイプ１８の周辺を拡大した図である。本図に示すように、棚ガイド３ａの凸部３ｃが貫パイプ１８に当接し、棚ガイド３ａひいては棚２４の回動を本図に示す姿勢で静止させる。この結果、ラッチ１５の溝１５ｂは、キャッチャ２１に係止しない状態となる。
【００２２】
棚２４の構造について図６、図７を用いて説明する。まず図６（ａ）は、天板１を透視して棚２４の左側付近を示した斜視図であり、図６（ｂ）はラッチカバー１７内を透視した図である。棚２４は３本の平行な棚パイプ２ａ、２ｂ、２ｃを棚ガイド３ｂで左右から挟んだ構造をしている（棚ガイド３ｂは左側のみ図示。棚ガイド３ａ、ラッチカバー１７も同様）。棚パイプ２ａが棚２４の回動軸となっており、前述のように棚パイプ２ｂがロック機構を解除するためのパイプとなっている。
【００２３】
図７の分解斜視図に、ロック機構およびキャスタ１４の上下機構を示す。ラッチ１５は、鞘状の部材であるラッチ取付金具２０に入れられており、このラッチ取付金具２０とラッチ１５の間にバネ１９が介装されている。棚パイプ２ａは棚ガイド３ａを貫通して、断面小判型のシャフト９ｂを介してカム９に固定されている。棚パイプ２ｂの端部にはアーム１６が固定されており、一体となって回動するようにされている。ロッド８と浮動足１１とはピン１１ａにて軸支され、浮動足１１とフロートリンク１２とはピン１２ａにて軸支され、フロートリンク１２と固定足１０とはピン１２ａにて軸支されている。
【００２４】
このような移動机によれば、天板が水平のままで容易にキャスタ１４の上げ下げを行なうことができる。それでいながら、天板１にガイドリンク４を介して結合されている棚ガイド３ａと棚２４とを固定することにより、天板１を回動させることによってもキャスタ１４を上下させることができるので、この机を倉庫などに収納する際にも便利なものとなっている。また、棚パイプ２ｂを回転させるだけでロックの解除を行なうことができるため、操作が簡単であり、ロックを解除するためのレバーなどが不要であるため、外観上も優れている。なお、ラッチ１５、アーム１６、バネ１９、棚パイプ２ｂが本発明のロック機構に相当し、棚ガイド３ａが本発明の外側面ガイド、棚ガイド３ｂが本発明の内側面ガイドに相当する。
【００２５】
［第２実施形態］
本発明の第２実施形態について図８〜１０を用いて説明する。なお、符号は、第１実施形態で用いたものを流用した。まず図８は、第２実施形態の移動机の側面図である。この机が第１実施形態の机と異なるのは、ロック機構の解除をボタン２３を押すことによって行なうようにされている点である。ボタン２３は、図９（ｃ）に示すようにアーム１６に固定されており、図９（ａ）、図１０に示すようにラッチカバー１７の上部に形成された溝からその一部が露出している。このボタン２３を矢印Ｄ（図８参照）のように押しこむと、アーム１６が、棚パイプ２ｂを回転させた時と同様に回転し、ラッチ１５が矢印Ｂ（図９（ｂ）参照）方向に移動する。なお、ボタン２３と棚パイプ２ｂとは、互いに固定されており、棚パイプ２ｂを回転させることによってもラッチ１５を移動させ、ロックを解除することができる。このようにボタン２３を押すことによってもロックを解除できるようにされた点以外は、第１実施形態の机と同様である。
【００２６】
［第３実施形態］
本発明の第３実施形態について図１１〜１４を用いて説明する。なお、符号は、前記実施形態で用いたものを流用した。まず図１１は、第３実施形態の移動机の側面図である。この移動机では、天板１の回動方向が図１２に示すように反時計回りとなっている。そして棚は天板１と共に略垂直となるまで反時計回りに持ち上げることもできるし、図１３に示すように第１実施形態、第２実施形態と同様、棚ガイド３ａを残して、略垂直となるまで時計回りに押し下げることもできる。何れの操作をしてもキャスタ１４が接地するように構成されている。
【００２７】
これを実現するためにこの机では、棚ガイド３ｂが水平になった状態において、カム９がほぼ真下を向くようにされており、水平状態の棚ガイド３ｂが何れの方向に回動されてもロッド８が上方に移動するようにされている。更に図１４の分解斜視図にも示すようにロッド８と浮動足１１との間にテコ２２を介装しており、これによりロッド８の動きと浮動足１１、ひいてはキャスタ１４の動きとが第１実施形態、第２実施形態とは逆方向になるようにされている。すなわち、ロッド８が上がるとキャスタ１４が下がり、ロッド８が下がるとキャスタ１４が上がるようにされている。なお、ロック機構は第１実施形態と同様である。
【００２８】
［第４実施形態］
本発明の第４実施形態について図１５、１６を用いて説明する。なお、符号は、前記実施形態で用いたものを流用した。まず図１５は、第４実施形態の移動机の側面図である。この机が第３実施形態と異なる点は、棚を持ち上げることによりキャスタ１４が接地するようにした点である。天板１の回動方向は、第３実施形態と同じで、本図において反時計回りである。棚を持ち上げるようにしたことにより、キャッチャ２１が貫パイプ１８にではなく天板１に設けられている。
【００２９】
ロック機構の解除は、第１実施形態、第３実施形態と同じである。すなわち図１６（ａ）の矢印Ａに示すように棚パイプ２ｂを回転させる。するとラッチ１５が棚ガイド３ａから離脱し、棚ガイド３ａを残して（つまり天板１を水平のままにして）棚を矢印Ｅのように持ち上げることが可能となる。棚が持ち上がるとキャスタ１４が接地して位置調整が容易となる。なお、棚パイプ２ｂから手を離すとラッチ１５がキャッチャ２１に係止し（図１６（ｂ）参照）、キャスタ１４が接地した状態が維持される。この状態から天板１を反時計回りに起こすと、キャスタ１４の突出量が大きくなる。もちろん、図１５の状態から天板１を反時計回りに起こせば、棚がこれに連動し、キャスタ１４が接地する。
【００３０】
［その他の実施形態］
以上、本発明を適用した実施形態について説明してきたが、本発明はこうした実施形態に何等限定されるものではなく様々な態様で実施しうる。例えば、第２実施形態で示したボタン２３を、第３実施形態または第４実施形態の机に適用してもよい。また、棚ガイド３ａと棚２４のロック機構や、キャスタ１４の上下機構についても、前記説明した以外の態様を用いても構わない。
【００３１】
天板１を水平にしたままでキャスタ１４を上下でき、しかも必要に応じ天板１を回動させることによってもキャスタ１４を上下させることができる機構も、前記説明した態様以外の態様を用いてももちろん良い。
【図面の簡単な説明】
【図１】本発明の第１実施形態の移動机の側面図である。
【図２】第１実施形態の移動机においてラッチ１５が移動される様子およびその機構を示す説明図である。
【図３】第１実施形態の移動机において天板１を水平にしたままキャスタ１４が下降された状態を示す側面図である。
【図４】第１実施形態の移動机の天板１を倒す途中の様子を示す側面図である。
【図５】第１実施形態の移動机を天板１を倒した様子を示す側面図である。
【図６】第１実施形態の移動机の棚付近の構造を示す斜視図である。
【図７】第１実施形態の移動机の浮動足１１の上下機構を示す分解斜視図である。
【図８】第２実施形態の移動机の側面図である。
【図９】第２実施形態の移動机においてラッチ１５が移動される様子およびその機構を示す説明図である。
【図１０】第２実施形態の移動机の棚付近の構造を示す斜視図である。
【図１１】第３実施形態の移動机の側面図である。
【図１２】第３実施形態の移動机において、天板１を起こすことによりキャスタ１４を下降させた様子を示す側面図である。
【図１３】第３実施形態の移動机において、天板１を水平にしたままキャスタ１４を下降させた様子を示す側面図である。
【図１４】第３実施形態の移動机の浮動足１１の上下機構を示す分解斜視図である。
【図１５】第４実施形態の移動机の側面図である。
【図１６】第４実施形態の移動机においてラッチ１５をキャッチャ２１に掛けた様子を示す側面図である。
【符号の説明】
１…天板            ２ａ〜２ｃ…棚パイプ
３ａ、３ｂ…棚ガイド    ４…ガイドリンク
８…ロッド              ９…カム
１０…固定足            １１…浮動足
１２…フロートリンク    １３…アジャスタ
１４…キャスタ          １５…ラッチ
１６…アーム            １７…ラッチカバー
１８…貫パイプ          １９…バネ
２０…ラッチ取付金具    ２４…棚
【図１】
0003614408.tif 000002
【図２】
0003614408.tif 000003
【図３】
0003614408.tif 000004
【図４】
0003614408.tif 000005
【図５】
0003614408.tif 000006
【図６】
0003614408.tif 000007
【図７】
0003614408.tif 000008
【図８】
0003614408.tif 000009
【図９】
0003614408.tif 000010
【図１０】
0003614408.tif 000011
【図１１】
0003614408.tif 000012
【図１２】
0003614408.tif 000013
【図１３】
0003614408.tif 000014
【図１４】
0003614408.tif 000015
【図１５】
0003614408.tif 000016
【図１６】
0003614408.tif 000017